(57)【要約】【課題】  相手先と通話可能な状態になって初めて拡声受話からハンドセットの通話へ切り替わる電話装置を提供する。【解決手段】  拡声受話オンの状態となると（Ｓ１ステップ）、回線を接続して発呼操作を行い（Ｓ２〜Ｓ３ステップ）、続いてリングバックトーンの検出を開始し、リングバックトーンの検出を停止すると（Ｓ５ステップ）、回線を拡声受話用のスピーカから送受話器に切り替える（Ｓ７ステップ）。【選択図】  図２
2008079219.tif 000002
【特許請求の範囲】
【請求項１】
拡声受話機能を有する電話装置であり、
拡声受話状態でダイヤル発信した後に、回線の極性が反転すると、拡声受話をオフする状態となると共に送受話器を用いて相手先と通話可能な状態になることを特徴とする電話装置。
【請求項２】
拡声受話機能を有する電話装置であり、
拡声受話状態でダイヤル発信した後に、回線からリングバックトーンを検出すると、拡声受話をオフする状態となると共に送受話器を用いて相手先と通話可能な状態になることを特徴とする電話装置。
【請求項３】
拡声受話機能を有する電話装置であり、
拡声受話機能により発呼側からの音声とリングバックトーンを出力可能なスピーカと、送受話器と、回線の極性反転を検出する極性反転検出手段と、ダイヤル発信手段と、
拡声受話機能をオンとした状態でダイヤル発信手段を用いて回線へダイヤル発信した後に、前記極性反転検出手段が回線の極性反転を検出したと判定すると、前記拡声受話手段をオフとすると共に前記送受話器と回線とを接続するように制御する制御手段と、を有することを特徴とする電話装置。
【請求項４】
拡声受話機能を有する電話装置であり、
拡声受話機能により発呼側からの音声とリングバックトーンを出力可能なスピーカと、送受話器と、回線からのリングバックトーンを検出するリングバックトーン検出手段と、ダイヤル発信手段と、
拡声受話機能をオンとした状態でダイヤル発信手段を用いて回線へダイヤル発信した後に、前記リングバックトーン検出手段が回線から前記リングバックトーンを検出したと判定すると、前記拡声受話手段をオフとすると共に前記送受話器と回線とを接続するように制御する制御手段と、を有することを特徴とする電話装置。
【発明の詳細な説明】
【技術分野】
【０００１】
本発明は、拡声受話状態でダイヤル発信可能な電話装置に関する。
【背景技術】
【０００２】
現在のコードレス電話装置や留守番電話装置には、通常拡声受話機能が搭載されている。この拡声受話機能は、回線を接続した状態で回線からの音声やトーン信号をスピーカから大音量で出力する機能であり、ユーザが一々ハンドセットを持たずとも回線からの音を聞くことができる。
【０００３】
又、この拡声受話機能を有する電話装置に関する技術も数多く提案されており、例えば特許文献１には、オフフック操作があると拡声受話モードにし、ダイヤル発信から着呼側が応答するまでの間通常の通話モード（子機のスピーカを耳にあてて使うモード）にする技術が記載されている。
【特許文献１】特開平１０−２７６２６０号公報
【発明の開示】
【発明が解決しようとする課題】
【０００４】
しかしながら、上記特許文献１の技術では、ダイヤル発信を開始してから通常の通話モードに切り替わる為、ダイヤル発信してから相手先が応答するまで、その間ユーザはハンドセットを持っている必要がある。
【課題を解決するための手段】
【０００５】
本発明はこのような課題を解決する為のものであり、拡声受話状態になってから相手先が応答するまでの間拡声受話状態を維持し、相手先が応答すると通常のハンドセットでの通話に切り替わるものである。
【０００６】
請求項１記載の電話装置は、拡声受話機能を有する電話装置であり、拡声受話状態でダイヤル発信した後に、回線の極性が反転すると、拡声受話をオフする状態となると共に送受話器を用いて相手先と通話可能な状態になることを特徴とする。
【０００７】
請求項２記載の電話装置は、拡声受話機能を有する電話装置であり、拡声受話状態でダイヤル発信した後に、回線からリングバックトーンを検出すると、拡声受話をオフする状態となると共に送受話器を用いて相手先と通話可能な状態になることを特徴とする。
【０００８】
請求項３記載の電話装置は、拡声受話機能を有する電話装置であり、拡声受話機能により発呼側からの音声とリングバックトーンを出力可能なスピーカと、送受話器と、回線の極性反転を検出する極性反転検出手段と、ダイヤル発信手段と、拡声受話機能をオンとした状態でダイヤル発信手段を用いて回線へダイヤル発信した後に、前記極性反転検出手段が回線の極性反転を検出したと判定すると、前記拡声受話手段をオフとすると共に前記送受話器と回線とを接続するように制御する制御手段と、を有することを特徴とする。
【０００９】
請求項４記載の電話装置は、拡声受話機能を有する電話装置であり、拡声受話機能により発呼側からの音声とリングバックトーンを出力可能なスピーカと、送受話器と、回線からのリングバックトーンを検出するリングバックトーン検出手段と、ダイヤル発信手段と、拡声受話機能をオンとした状態でダイヤル発信手段を用いて回線へダイヤル発信した後に、前記リングバックトーン検出手段が回線から前記リングバックトーンを検出したと判定すると、前記拡声受話手段をオフとすると共に前記送受話器と回線とを接続するように制御する制御手段と、を有することを特徴とする。
【発明の効果】
【００１０】
本発明は、拡声受話状態になってから相手先が応答するまでの間拡声受話状態を維持し、相手先が応答すると通常のハンドセットでの通話に切り替わる為、ユーザが真にハンドセットを使用せざるを得ない状態の時のみにハンドセットでの通話に切り替わることができ、ユーザがハンドセットを持つ状態を可能な限り少なくすることが可能である。
【００１１】
尚、ハンドセットを使用せざるを得ない状態とは、ユーザと相手先との間の会話を他人に聞かれないようにする為にハンドセットを使用する状態であり、通話時以外のＲＢＴ（Ｒｉｎｇ  Ｂａｃｋ  Ｔｏｎｅ）の鳴動中やダイヤル信号の押下中の音等は他人に聞かれても構わない為にハンドセットを使用せざるを得ない状態とは言えない。
【発明を実施するための最良の形態】
【００１２】
図１は本発明を適用してなる実施例装置（電話装置）のブロック図である。
【００１３】
図１において、制御部１００は電話装置内部の各回路の制御を司る。又、制御部１００は、着信時に発呼側の電話番号を一時的に格納するバッファメモリ（図示せず）と所定時間の計時を行うタイマ（図示せず）とを有している。
ダイオードブリッジ１１０は回線Ｌと接続されており、回線Ｌの極性が反転しても装置内部の回路の電位を一定に保つ。リンガー検出部１２０は、回線Ｌに接続され、回線Ｌから一定周期で送られてくる周波数１６ヘルツの着信信号を検出すると上記着信を示す信号を制御部１００に送出する。
【００１４】
網制御部１３０は、上記制御部１００の制御の下で回線の閉結動作を行い、回線の極性反転を検出する機能も有している。ビープ音発生部１４０は、制御部１００の制御の下で例えば２キロヘルツのビープ音を網制御部１３０を介して回線Ｌへ送出する。
【００１５】
スピーカ１５０は、アンプ１６０とミュート回路１７０を介して制御部１００と接続されており、上記リンガー検出部１２０により回線Ｌからの着信信号が検出された際に着信音を送出し、又、拡声受話を行う際には、回線Ｌからの音声やＲＢＴ（Ｒｉｎｇ  Ｂａｃｋ  Ｔｏｎｅ）をスピーカ１５０から出力する。
【００１６】
ミュート回路１７０は、制御部１００の制御の下で、スピーチネットワーク部１８０から入力した音声信号や着信音等をスピーカから送出させないようにする。スピーチネットワーク部１８０は、音声信号の通過するラインの接続切換を行う。
【００１７】
送受話部１９０のスピーカ１９１は、アンプ１９２を介して上記スピーチネットワーク部１８０と接続されており、回線Ｌから入力した発呼側の音声信号を送出する。送受話部１９０のマイク１９３は、アンプ１９４を介して上記スピーチネットワーク部１８０と接続されており、ユーザの発した音声信号をスピーチネットワーク部１８０へ送出する。
フック検出部２００は、制御部１００と接続されており、上記送受話部１９０のオンフック、オフフックを検出する。
発呼側番号検出部２１０は、スピーチネットワーク部１８０と制御部１００とに接続されており、着信時に回線Ｌからの発呼側電話番号を検出する。
入力部２２０は、テンキーや、拡声受話（ハンズフリー）をオン／オフする為のキー等を有しており、入力部２２０で入力された信号は制御部１００に送出される。
【００１８】
電話帳メモリ２３０は、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の書き換え自由な不揮発性メモリからなり、電話番号と発呼側の名称とを対にして複数件格納可能である。
【００１９】
用件メッセージ格納部２４０は、例えばＥＥＰＲＯＭからなり、電話装置が留守録音を開始した際に回線Ｌから入力した発呼側の用件メッセージを格納する領域と、上記用件メッセージに対応する発呼側の電話番号を格納する領域とを有しており、上記発呼側番号検出部２１０が着信時に発呼側の電話番号を検出した場合には、上記用件メッセージと発呼側の電話番号とを対にして格納可能であり、これらの情報を複数件格納可能である。又、着信時に前記発呼側番号検出部２１０が電話番号を検出しなかった場合には、用件メッセージのみ用件メッセージ格納部２４０に格納される。尚、用件メッセージに対応して着信した日付、日時等を格納しても良い。
【００２０】
表示部２５０は、上記入力部２２０から入力された電話番号や、上記電話帳メモリ２３０に格納されている電話番号及び名称等を表示することが可能である。又、上記用件メッセージ格納部２４０に格納されている発呼側からの用件メッセージを再生（スピーカ１５０から送出）している際に、上記用件メッセージ格納部２４０に上記発呼側のメッセージと対となって格納されている発呼側の電話番号を表示する。
【００２１】
拒否番号格納部２６０は、例えばＥＥＰＲＯＭ等からなり、着信を拒否する相手先の電話番号が格納される。
【００２２】
応答メッセージ格納部２７０は、例えばＥＥＰＲＯＭ等からなり、用件メッセージを格納する前に発呼側へ送出する応答メッセージ（例えば、"ただ今でかけております、発信音の後にメッセージを入れてください"）を格納している。
【００２３】
次に、本発明を適用してなる実施例装置の動作について以下に説明する。
【００２４】
Ｓ１ステップにおいて、制御部１００は、入力部２２０からハンズフリーをオンするよう指示する操作があると判定すると、Ｓ２ステップへ処理を進める。
【００２５】
Ｓ２ステップにおいて、制御部１００は、網制御部１３０を制御することにより回線を接続する。尚、このときハンズフリーがオンの状態であるので、スピーカ１５０から「ツー」という音が送出される。
【００２６】
Ｓ３ステップでは、制御部１００は、入力部２２０から発呼操作（例えば、テンキーを使用して電話番号を入力する）があると判定すると、Ｓ５ステップへ処理を進め、そうでなければ、Ｓ４ステップへ処理を進める。
【００２７】
Ｓ４ステップでは、制御部１００は、入力部２２０からハンズフリーをオフするよう指示する操作があると判定すると、Ｓ１１ステップへ処理を進め、そうでなければ、Ｓ３ステップへ処理を戻す。
【００２８】
Ｓ５ステップでは、制御部１００は、網制御部１３０が回線ＬからＲＢＴ（Ｒｉｎｇ  Ｂａｃｋ  Ｔｏｎｅ）の停止を検出したと判定すると、Ｓ７ステップへ処理を進め、そうでなければ、Ｓ６ステップへ処理を進める。尚、具体的には、ＲＢＴの送出が所定時間
Ｓ６ステップでは、制御部１００は、入力部２２０からハンズフリーをオフするよう指示する操作があると判定すると、Ｓ１１ステップへ処理を進め、そうでなければ、Ｓ５ステップへ処理を戻す。
【００２９】
Ｓ７ステップでは、制御部１００は、スピーチネットワーク部１８０を制御することにより、回線Ｌから入力された信号（例えば音声、ＲＢＴ等）をスピーカ１９１から出力するよう音声の経路を切り替え、処理を終了する。
【００３０】
Ｓ８ステップでは、制御部１００は、網制御部１３０から、回線Ｌの極性が反転したことを示す信号を検出すると相手先が応答したと判定し、Ｓ９ステップへ処理を進める。
【００３１】
Ｓ９ステップでは、制御部１００は、網制御部１３０とスピーチネットワーク部１８０とを制御することにより、回線Ｌからの音声信号をスピーカ１９１から出力すると共にマイク１９３からの音声を回線Ｌへ出力させ、通話処理を行なう。
【００３２】
Ｓ１０ステップでは、制御部１００は、フック検出部２００からハンドセット１００がオンフックされたことを示す信号を検出すると、Ｓ１１ステップへ処理を進める。
【００３３】
Ｓ１１ステップでは、制御部１００は、網制御部１３０を制御することにより回線Ｌを断とし、処理を終了する。
本発明は、拡声受話状態になってから相手先が応答するまでの間拡声受話状態を維持し、相手先が応答すると通常のハンドセットでの通話に切り替わる為、ユーザが真にハンドセットを使用せざるを得ない状態の時のみにハンドセットでの通話に切り替わることができ、ユーザがハンドセットを持つ状態を可能な限り少なくすることが可能である。
【００３４】
尚、本実施例では、呼出信号を検出しなくなると、送受話器を用いた通話が可能な状態にすることが可能であるが、呼出信号を検出しなくなるのではなく、回線の極性反転を検出すると送受話器を用いて通話が可能な状態にすることが可能である。
【図面の簡単な説明】
【００３５】
【図１】は、本発明を適用してなる実施例装置のブロック図である。
【図２】は、本発明を適用してなる実施例装置の動作を示すフロー図である。
【符号の説明】
【００３６】
１００  制御部
２１０  発呼側番号検出部
２４０  用件メッセージ格納部
２７０  応答メッセージ格納部
【図１】
2008079219.tif 000003
【図２】
2008079219.tif 000004